(57)【特許請求の範囲】
【請求項１】
本体内で記憶媒体を収納したカートリッジを保持して所定の情報を記録再生するターンテーブル上に移送するカートリッジ挿入排出装置において、
前記本体内に支持されて前記カートリッジを設置して所定の情報を記録再生するターンテーブルを有したシャシと、
前記シャシに昇降可能に支持されて前記本体に挿入した前記カートリッジを保持して前記ターンテーブルに移送する昇降シャシと、
前記昇降シャシに弾性部材を介して接続されて前記シャシに摺動可能に支持し、前記弾性部材を付勢することなく前記昇降シャシに係合して上昇させる摺動方向、及び前記弾性部材を付勢して前記昇降シャシに付勢力を与えて降下させる摺動方向に各々動作するスライダとを設けたことを特徴とするカートリッジ挿入排出装置。
【請求項２】
請求項１に記載のカートリッジ挿入排出装置において、
前記シャシは、前記ターンテーブルの両側に延在して傾斜した傾斜溝を備えるガイドを有し、このガイドの傾斜溝に前記昇降シャシの両側面から突出する傾斜突起を係合させ、前記スライダが前記傾斜溝に沿って前記傾斜突起を摺動させて前記昇降シャシを昇降するように設けたことを特徴とするカートリッジ挿入排出装置。
【請求項３】
請求項２に記載のカートリッジ挿入排出装置において、
前記シャシには、前記ガイドの片側１箇所に前記昇降シャシを摺動させる前記スライダを設け、このスライダにより前記昇降シャシが片側に傾かないように両側から規制する前記ガイドを設けたことを特徴とするカートリッジ挿入排出装置。
【請求項４】
請求項２に記載のカートリッジ挿入排出装置において、
前記シャシには、前記昇降シャシの傾きを前記ガイドにより規制することなく、前記スライダを前記ガイドの両側２箇所に設けて規制することを特徴とするカートリッジ挿入排出装置。
【請求項５】
請求項２に記載のカートリッジ挿入排出装置において、
前記シャシには、前記昇降シャシに設けた前記傾斜突起の片側または両側に規制部を備えて前記ガイドの傾斜溝に係合することで前記昇降シャシの傾きを規制するとともに、この規制部を係合した前記ガイドの片側１箇所に前記スライダを設けたことを特徴とするカートリッジ挿入排出装置。
【請求項６】
請求項１に記載のカートリッジ挿入排出装置において、
前記昇降シャシは、前記ガイドの傾斜した傾斜溝に沿って前記スライダにより昇降する移動プレートと、この移動プレートに支持されて前記カートリッジを保持して前記ガイドに形成した垂直方向の昇降溝に沿って昇降する保持プレートとからなることを特徴とするカートリッジ挿入排出装置。
【請求項７】
請求項１に記載のカートリッジ挿入排出装置において、
前記弾性部材は、板バネ、円筒形コイルバネ、圧縮コイルバネ、或いはネジリコイルバネのいずれかであることを特徴とするカートリッジ挿入排出装置。
【請求項８】
請求項１に記載のカートリッジ挿入排出装置において、
前記カートリッジは、ＭＤ、ＦＤ、ＭＯなどの記憶媒体を収納したカートリッジであることを特徴とするカートリッジ挿入排出装置。
【発明の詳細な説明】
【０００１】
【発明の属する技術分野】
本発明は、カートリッジ挿入排出装置に係り、より詳細には本体内で記憶媒体を収納したカートリッジを保持して所定の情報を記録再生するターンテーブル上に移送するカートリッジ挿入排出装置に関する。
【０００２】
【従来の技術】
従来、記憶媒体を収納したＭＤ、ＦＤ、ＭＯなどのカートリッジを記録再生する記録再生装置の本体内には、挿入されたカートリッジを保持して所定の記録再生位置（ターンテーブル）まで移送するカートリッジ挿入排出装置が設けられている。この従来のカートリッジ挿入排出装置は、本体内に挿入したカートリッジを記録再生位置まで正確かつ、スムーズに移送することが要求される。図１３は、このようなＭＤ記録再生装置に採用した従来のカートリッジ挿入排出装置を示す斜視図である。また、図１４は、図１３に示したターンテーブル７６にカートリッジ１を設置する動作を示す図であり、図１４（ａ）はカートリッジ１を設置する前の状態を、図１４（ｂ）はカートリッジ１を設置した状態を各々示している。
【０００３】
図１３に示すように、ＭＤ記録再生装置に採用した従来のカートリッジ挿入排出装置は、カートリッジ（ＭＤカートリッジ）１を挿入して所定の情報を記録再生する記録再生装置の本体５０内に配置されており、本体５０内に浮動状態（フローティング状態）に支持されてカートリッジ１を設置して所定の情報を記録再生するターンテーブル７６を備えたシャシ７０と、このシャシ７０に昇降可能に支持されて本体５０に挿入したカートリッジ１を保持してターンテーブル７６に移送する昇降シャシ６０とを備えている。
【０００４】
ここで、シャシ７０は、本体５０内に弾性を備えるダンパなどの支持部材（図示せず）を介して浮動状態に支持されており、ターンテーブル７６上でカートリッジ１を記録再生する際、外部から加えられる衝撃を吸収できるように形成されている。また、シャシ７０には、図示されていないが、昇降シャシ６０に係合して昇降可能に支持するガイドを設けるとともに、このガイドに沿って昇降シャシ６０を昇降させるモータなどの駆動源を備えている。
【０００５】
そして、昇降シャシ６０には、カートリッジ１を保持する保持部６０ｂを備え、本体５０内に挿入されたカートリッジ１を保持できるように形成している。また、昇降シャシ６０は、図１３に示したように、カートリッジ１を保持してシャシ７０のターンテーブル７６に確実に設置（ローディング）できるように、円筒形コイルバネによる弾性部材７２を複数装着して付勢している。
【０００６】
このような構成からなるＭＤ記録再生装置に採用した従来のカートリッジ挿入排出装置を使用する場合、まず、本体５０内の昇降シャシ６０を駆動源（図示せず）の駆動により上昇させ、図１４（ａ）に示すように、保持部６０ｂをターンテーブル７６上に上昇させ、昇降シャシ６０が弾性部材７２により付勢された状態にする。これにより本体５０（図１参照）内には、カートリッジ１が挿入可能となり、図１４（ａ）に示したように、カートリッジ１をターンテーブル７６上に当接することなく挿入して、昇降シャシ６０の保持部６０ｂに支持させることができる。その後、本体５０内では、図１４（ｂ）に示すように、昇降シャシ６０を駆動源の駆動により降下させてカートリッジ１をターンテーブル７６上に設置（ローディング）する。この際、昇降シャシ６０は、弾性部材７２の付勢力によりシャシ７０に引き付けられるため、カートリッジ１をターンテーブル７６の記録再生位置に確実に降下させて設置（ローディング）することができる。
このように、従来のカートリッジ挿入排出装置は、本体５０内に挿入したカートリッジ１を昇降シャシ６０に保持させて弾性部材７２の弾性力を用いてターンテーブル７６に降下させることで、カートリッジ１をターンテーブル７６上に確実に設置（ローディング）できるように形成していた。
【０００７】
【発明が解決しようとする課題】
しかしながら、従来のカートリッジ挿入排出装置では、図１４（ｂ）に示したように昇降シャシ６０を降下させてカートリッジ１をターンテーブル７６に設置（ローディング）した状態から、図１４（ａ）に示した昇降シャシ６０を上昇（アンローディング）させた状態に移行する場合、弾性部材７２の付勢力が直接加わり、この弾性部材７２による付勢力に対してシャシ７０と昇降シャシ６０とを引き離す力が必要になるため、駆動源（図示せす）に加わる負荷が大きく装置の動作効率が悪くなるとうい不具合があった。
本発明はこのような課題を解決し、カートリッジを保持してターンテーブル上で昇降する昇降シャシの駆動源に直接加わる負荷を低減し、動作効率を向上させるカートリッジ挿入排出装置を提供することを目的とする。
【０００８】
【課題を解決するための手段】
本発明は上述の課題を解決するために、本体内で記憶媒体を収納したカートリッジを保持して所定の情報を記録再生するターンテーブル上に移送するカートリッジ挿入排出装置であって、本体内に支持されてカートリッジを設置して所定の情報を記録再生するターンテーブルを有したシャシと、このシャシに昇降可能に支持されて本体に挿入したカートリッジを保持してターンテーブルに移送する昇降シャシと、昇降シャシに弾性部材を介して接続されてシャシに摺動可能に支持して、弾性部材を付勢することなく昇降シャシに係合して上昇させる摺動方向、及び弾性部材を付勢して昇降シャシに付勢力を与えて降下させる摺動方向に各々動作するスライダとを設ける。
【０００９】
ここで、シャシは、ターンテーブルの両側に延在して傾斜した傾斜溝を備えるガイドを有し、このガイドの傾斜溝に昇降シャシの両側面から突出する傾斜突起を係合させ、スライダが傾斜溝に沿って傾斜突起を摺動させて昇降シャシを昇降するように設けることが好ましい。また、シャシには、ガイドの片側１箇所に昇降シャシを摺動させるスライダを設け、このスライダにより昇降シャシが片側に傾かないように両側から規制するガイドを設けることが好ましい。また、シャシの他の実施例は、昇降シャシの傾きをガイドにより規制することなく、スライダをガイドの両側２箇所に設けて規制することが好ましい。また、シャシの更なる他の実施例としては、昇降シャシに設けた傾斜突起の片側または両側に規制部を備えてガイドの傾斜溝に係合することで昇降シャシの傾きを規制するとともに、この規制部を係合したガイドの片側１箇所にスライダを設けることが好ましい。また、昇降シャシは、ガイドの傾斜した傾斜溝に沿ってスライダにより昇降する移動プレートと、この移動プレートに支持されてカートリッジを保持してガイドに形成した垂直方向の昇降溝に沿って昇降する保持プレートとからなることが好ましい。また、弾性部材は、板バネ、円筒形コイルバネ、圧縮コイルバネ、或いはネジリコイルバネのいずれかであることが好ましい。また、カートリッジは、ＭＤ、ＦＤ、ＭＯなどの記憶媒体を収納したカートリッジであることが好ましい。
【００１０】
【発明の実施の形態】
次に、添付図面を参照して本発明によるカートリッジ挿入排出装置の実施の形態を詳細に説明する。図１は、本発明によるカートリッジ挿入排出装置をＭＤ再生装置に採用した実施の形態を示す斜視図である。また、図２は、図１に示したカートリッジ挿入排出装置４の内部構造を示す分解斜視図である。また、図３は、図２に示した昇降シャシ１０の傾きθを規制する他の実施例を示す平面図である。また、図４は、図２に示した昇降シャシ１０の傾きθを規制する更なる他の実施例を示す斜視図である。また、図５は、図４に示した矢印Ｃ方向から見た平面図である。また、図６は、図１に示したカートリッジ１を挿入する前の状態を示す図である。また、図７は、図６に示した矢印Ｆ方向から見たカートリッジ１挿入後の状態を示す図である。また、図８は、図７に示したターンテーブル２６にカートリッジ１を降下させて設置した状態を示す図である。また、図９は、図８に示した矢印Ｈ方向から見た状態を示す図である。
【００１１】
図１に示すように、本発明によるカートリッジ挿入排出装置４をＭＤ再生装置に採用した実施の形態は、図１３に示した従来技術と同様に、ＭＤ記録再生装置の本体２内に浮動（フローティング）状態に支持され、カートリッジ１（ＭＤカートリッジ）を挿入して記録再生できるように配置されている。このカートリッジ挿入排出装置４は、図２に示すように、本体２内でカートリッジ１を設置（ローディング）して所定の情報を記録再生するターンテーブル２６を有したシャシ２０と、このシャシ２０に昇降可能に支持されて本体２内に挿入したカートリッジ１を保持してターンテーブル２６に移送する昇降シャシ１０とを備えている。
【００１２】
ここで、シャシ２０は、本体２（図１参照）内にダンパなどの弾性を備える支持部材（図示せず）により浮動状態に支持するとともに、この上部の略中心にカートリッジ１を設置して記録再生するターンテーブル２６などの記録再生部品を複数備えている。これによりシャシ２０は、カートリッジ１を設置して記録再生する際、支持部材による浮動状態の支持により外部からの振動を吸収することができる。また、シャシ２０には、ターンテーブル２６の両側に昇降シャシ１０を支持し、上下に案内して昇降させるガイド２８を備えている。このガイド２８には、所定の角度に傾斜して開口する傾斜溝２８ａと、略垂直方向に開口する昇降溝２８ｂとを各々備えている。
【００１３】
また、昇降シャシ１０は、シャシ２０の傾斜する傾斜溝２８ａに摺動可能に支持されて昇降する移動プレート１４と、この昇降する移動プレート１４に支持されてシャシ２０の昇降溝２８ｂに沿って略垂直方向に昇降する保持プレート１２とを備えている。ここで、移動プレート１４は、薄板状に延在して両側から下方に屈曲する側面を備え、この側面に突出してシャシ２０の傾斜溝２８ａに挿入する傾斜突起１４ａと、保持プレート１２を摺動可能に支持する開口部１４ｂとを設けている。また、保持プレート１２は、薄板状に延在して両側面にカートリッジ１を保持する保持部１２ｂを一体に形成している。この保持プレート１２には、保持部１２ｂの外側面に突出して移動プレート１４の開口部１４ｂに摺動可能に支持する昇降突起１２ａを備えている。
【００１４】
そして、シャシ２０には、傾斜溝２８ａに挿入した移動プレート１４の傾斜突起１４ａを傾斜溝２８ａに沿って摺動させるスライダ２４を備えている。このスライダ２４は、シャシ２０のガイド２８に複数形成した傾斜溝２８ａのいずれか１箇所に配置されており、所定の駆動源（図示せず）により摺動可能に形成されている。そして、スライダ２４には、傾斜溝２８ａから突出する移動プレート１４の傾斜突起１４ｂに係合する突部２４ａと、この突部２４ａが係合する傾斜突起１４ａに円筒形コイルバネによる弾性部材２２を介して接続される係止部２４ｂとを一体に形成している。
【００１５】
ここで、シャシ２０は、スライダ２４により昇降シャシ１０の片側で図２に示した傾斜突起１４ａの傾きθが生じないように、ガイド２８の幅Ａを調整して移動プレート１４の幅Ｂを両側から規制するように形成している。また、このような傾斜突起１４ａの傾きθをガイド２８の幅Ａにより規制するものとは異なり、例えば、図３に示すように、ガイド２８の両側２箇所にスライダ２４を設けて移動プレート１４の傾斜突起１４ａが傾くことを規制することで、ガイド２８を移動プレート１４の幅に合わせて調整することを不要にし、容易に製造できるように形成してもよい。また、これとは異なり傾斜突起１４ａの傾きθを規制する場合、図４に示すように、移動プレート１４に突出する傾斜突起１４ａの片側または両側（図４では片側）に平行に延在する円盤状の規制部Ｄを設け、この規制部Ｄをシャシ２０のガイド２８に形成した切り欠き部Ｅから傾斜溝２８ａに係合して傾きを規制することも可能である。このように移動プレート１４は、図５に示すように、ガイド２８に係合した規制部Ｄが傾きを規制するため、このガイド２８の片側１箇所に設けたスライダ２４により傾くことなく摺動させることができる。これによりシャシ２０では、図２に示したガイド２８幅Ａの調整、及び図３に示したスライダ２４の２箇所設置が不要になり、製造コスト及び部品コストを低減することができる。
【００１６】
次に、図２に示したガイド２８の幅Ａにより傾斜突起１４ａの傾きθを規制する本発明によるカートリッジ挿入排出装置をＭＤ再生装置に採用した実施の形態を用いてカートリッジ１を挿入及び排出する動作を詳細に説明する。まず、図１に示したように、使用者がＭＤ再生装置の本体２内にカートリッジ１を把持して挿入し、本体２内のカートリッジ挿入排出装置４に収納する。この際、本体２内では、図６に示すように、カートリッジ１を挿入する矢印Ｆ方向に対して対向する矢印Ｇ方向にスライダ２４を摺動し、移動プレート１４の傾斜突起１４ａに当接させて傾斜溝２８ａに沿って上昇させる。ここで、スライダ２４は、傾斜突起１４ａに当接して傾斜溝２８ａを上昇させる際、傾斜突起１４ａとともに弾性部材２２を矢印Ｇ方向に移動させて弾性部材２２が付勢しないように形成しているため、傾斜突起１４ａを最小の力で上昇させることができる。従って、スライダ２４及びこれを駆動させる駆動源（図示せず）には、図１３に示した従来技術とは異なり、傾斜突起１４ａを傾斜溝２８ａに沿って摺動させる以外の負荷が加わることがなく、動作効率を向上させることができる。
【００１７】
また、本体２内では、スライダ２４が傾斜溝２８ａに沿って傾斜突起１４ａを上昇させた場合、図７に示すように、保持プレート１２の保持部１２ｂがターンテーブル２６の上方に上昇し、ターンテーブル２６に当接することなくカートリッジ１を挿入して保持部１２ｂに保持させることができる。
その後、本体２内では、図８に示すように、スライダ２４を駆動源によりカートリッジ１の挿入方向である矢印Ｈ方向に摺動させて、移動プレート１４の傾斜突起１４ａを傾斜溝２８ａに沿って降下させる。この際、弾性部材２２は、スライダ２４の摺動に伴って矢印H方向に傾斜突起１４ａを付勢しながら引っ張って牽引する。そして、カートリッジ１は、図９に示すように、保持プレート１２に保持された状態で、移動プレート１４の降下とともにターンテーブル２６上の記録再生位置に確実に降下して設置（ローディング）される。
【００１８】
このように、本発明によるカートリッジ挿入排出装置をＭＤ再生装置に採用した実施の形態によると、昇降シャシ１０を降下させる以外の動作時に弾性部材２２の付勢力がスライダ２４に直接加わることを防止しているめ、昇降シャシ１０の上昇時にスライダ２４及びこれを駆動させる駆動源に弾性部材２２の負荷が加わることがなく、動作効率を向上させることができる。
【００１９】
ところで、図６に示したカートリッジ１の挿入方向に移動プレート１４を摺動して降下させる傾斜溝２８ａを備えた実施の形態を説明したが、これに限定されるものではなく、例えば、カートリッジ１の挿入方向と逆方向に移動プレートを摺動して降下させる傾斜溝を形成してもよい。図１０は、このようなカートリッジ１の挿入方向と逆方向に移動プレートを摺動して降下させる傾斜溝４８ａを有した本発明によるカートリッジ挿入排出装置の他の実施の形態を示す図である。また、図１１は、図１０に示した昇降シャシ３０を降下させた状態を示す図である。また、図１２は、図１１に示した矢印Ｉ方向から見た状態を示す図である。
【００２０】
図１０に示すように、本発明によるカートリッジ挿入排出装置の他の実施の形態は、図１に示したカートリッジ挿入排出装置と同様にＭＤ記録再生装置に採用したものであり、ＭＤ記録再生装置の本体（図示せず）に浮動可能に支持されたシャシ４０と、移動プレート３４及び保持プレート３２からなる昇降シャシ３０とを備えている。そして、シャシ４０には、移動プレート３４の傾斜突起３４ａに弾性部材４２を介して接続する係止部４４ｂと、傾斜突起３４ａに当接する突部４４ａとを備えたスライダ４４を摺動可能に支持している。
【００２１】
ここで、本発明によるカートリッジ挿入排出装置の他の実施の形態は、図１に示したカートリッジ挿入排出装置とは異なり、カートリッジ１の挿入方向に移動プレート３４を摺動して上昇させる傾斜溝４８ａをシャシ４０のガイド４８に形成している。従って、スライダ４４は、カートリッジ１の挿入方向に摺動することで昇降シャシ３０を上昇させ、これと逆方向に摺動することで弾性部材４２が昇降シャシ３０（傾斜突起３４ａ）を付勢しながら牽引して降下させる。
【００２２】
このように形成された本発明によるカートリッジ挿入排出装置の他の実施の形態によりカートリッジ１を挿入及び排出する場合、まず、図１０に示したように、スライダ４４をカートリッジ１の挿入方向に摺動させて突起４４ａを移動プレート３４の傾斜突起３４ａに当接させて傾斜溝４８ａに沿って上昇させる。この際、スライダ４４は、傾斜突起３４ａとともに弾性部材４２を移動させて負荷が加わることを防止するため、傾斜突起３４ａを最小の力で上昇させることができる。これにより昇降シャシ３０は、シャシ４０上に上昇してカートリッジ１を挿入して保持プレート３２に保持することができる。
【００２３】
また、保持プレート３２にカートリッジ１を保持した後、図１１に示すように、スライダ４４を矢印Ｉ方向と逆方向に摺動させ、移動プレート３４の傾斜突起３４ａを傾斜溝４８ａに沿って降下させる。この際、弾性部材４２は、傾斜突起３４ａをスライダ４４の摺動とともに矢印Ｉと逆方向に引っ張ることで付勢しながら牽引する。これによりカートリッジ１は、図１２に示すように、保持プレート３２に保持された状態で移動プレート３４とともに降下し、ターンテーブル４６の記録再生位置に確実に降下して設置（ローディング）される。
このように、本発明によるカートリッジ挿入排出装置の他の実施の形態によると、昇降シャシ３０を降下させる以外の動作時に弾性部材４２の付勢力がスライダ４４に直接加わることを防止しているため、図１に示したカートリッジ挿入排出装置と同様の効果を得ることができる。
【００２４】
以上、本発明によるカートリッジ挿入排出装置の実施の形態を詳細に説明したが、本発明は前述した実施の形態に限定されるものではなく、その要旨を逸脱しない範囲で変更可能である。
例えば、本発明によるカートリッジ挿入排出装置をＭＤ記録再生装置に採用した実施の形態を説明したが、これに限定されるものではなく、ＦＤ、ＭＯなどの他の記憶媒体を記録再生する記録再生装置にも適用可能である。
また、図２に示したカートリッジの挿入方向左側にスライダを設けた実施の形態を説明したが、これに限定されるものではなく、例えば、カートリッジの挿入方向の右側に設けることもできる。
さらに、円筒状に巻き付けた円筒形コイルバネによる弾性部材を用いた実施の形態を説明したが、これに限定されるものではなく、例えば、板バネ、圧縮コイルバネ、或いはネジリコイルバネでも良い。
【００２５】
【発明の効果】
このように本発明によるカートリッジ挿入排出装置によれば、昇降シャシを降下させる以外の動作時に弾性部材の付勢力がスライダに直接加わることを防止しているめ、昇降シャシの上昇時にスライダ及びこれを駆動させる駆動源に弾性部材の負荷が加わることがなく、動作効率を向上させることができる。
【図面の簡単な説明】
【図１】本発明によるカートリッジ挿入排出装置をＭＤ再生装置に採用した実施の形態を示す斜視図。
【図２】図１に示したカートリッジ挿入排出装置の内部構造を示す分解斜視図。
【図３】図２に示した昇降シャシの傾きを規制する他の実施例を示す平面図。
【図４】図２に示した昇降シャシの傾きを規制する更なる他の実施例を示す斜視図。
【図５】図４に示した矢印Ｃ方向から見た平面図。
【図６】図１に示したカートリッジを挿入する前の状態を示す図。
【図７】図６に示した矢印Ｆ方向から見たカートリッジ挿入後の状態を示す図。
【図８】図７に示したターンテーブルにカートリッジを降下させて設置した状態を示す図。
【図９】図８に示した矢印Ｈ方向から見た状態を示す図。
【図１０】本発明によるカートリッジ挿入排出装置の他の実施の形態を示す図。
【図１１】図１０に示した昇降シャシを降下させた状態を示す図。
【図１２】図１１に示した矢印Ｉ方向から見た状態を示す図。
【図１３】従来のカートリッジ挿入排出装置を示す斜視図。
【図１４】図１３に示したターンテーブルにカートリッジを設置する動作を示す図。
【符号の説明】
１    カートリッジ
２    本体
４    カートリッジ挿入排出装置
１０    昇降シャシ
１２    保持プレート
１２ａ  昇降突起
１２ｂ  保持部
１４    移動プレート
１４ａ  傾斜突起
１４ｂ  開口部
２０    シャシ
２２    弾性部材
２４    スライダ
２４ａ  突部
２４ｂ  係止部
２６    ターンテーブル
２８    ガイド
２８ａ  傾斜溝
２８ｂ  昇降溝
【図１】
0003718436.tif 000002
【図２】
0003718436.tif 000003
【図３】
0003718436.tif 000004
【図４】
0003718436.tif 000005
【図５】
0003718436.tif 000006
【図６】
0003718436.tif 000007
【図７】
0003718436.tif 000008
【図８】
0003718436.tif 000009
【図９】
0003718436.tif 000010
【図１０】
0003718436.tif 000011
【図１１】
0003718436.tif 000012
【図１２】
0003718436.tif 000013
【図１３】
0003718436.tif 000014
【図１４】
0003718436.tif 000015